(57)【要約】      （修正有）【課題】簡易な手段によりマスクを装着したまま息苦しさの改善を図ることができるマスクを提供する。【解決手段】マスクＭは、使用者の顔面の少なくとも一部を覆うためのマスク本体１と、このマスク本体１の左側に位置する左側耳掛け部２と、マスク本体１の右側に位置する右側耳掛け部３とを備えたマスクＭであって、マスク本体１に開口部４を設け、この開口部４を開閉するファスナー５をマスク本体１に取り付けたものである。【選択図】図３
0003228247.tif 000002
【実用新案登録請求の範囲】
【請求項１】
使用者の顔面の少なくとも一部を覆うためのマスク本体と、
このマスク本体の左側に位置する左側耳掛け部と、
前記マスク本体の右側に位置する右側耳掛け部とを備えたマスクであって、
前記マスク本体に開口部を設け、この開口部を開閉するファスナーを前記マスク本体に取り付けた
ことを特徴とするマスク。
【請求項２】
使用者の顔面の少なくとも一部を覆うためのマスク本体と、
このマスク本体の左側に位置する左側耳掛け部と、
前記マスク本体の右側に位置する右側耳掛け部とを備えたマスクであって、
前記マスク本体の表側に開口部を設け、この開口部を開閉するファスナーを前記マスク本体に取り付け、前記マスク本体の裏面側に鼻、口に当接する当接部材を取り付け、前記マスク本体の裏面側と前記当接部材との間に収納部が設けられ、この収納部に前記開口部を介して保冷剤が収納されている
ことを特徴とするマスク。
【請求項３】
開口部が垂直方向に設けられている
ことを特徴とする請求項１〜２のいずれかに記載のマスク。
【請求項４】
開口部が水平方向に設けられている
ことを特徴とする請求項１〜２のいずれかに記載のマスク。
【請求項５】
息苦しいとき、開口部をファスナーにより開としたことを
ことを特徴とする請求項１〜４のいずれかに記載のマスク。
【請求項６】
食事をするとき、開口部をファスナーにより開とした
ことを特徴とする請求項１又は請求項３又は請求項４に記載のマスク。
【考案の詳細な説明】
【技術分野】
【０００１】
本考案は、マスクに係り、特に、簡易な手段によりマスクを装着したまま息苦しさの改善を図ることができるマスクに関する。
【背景技術】
【０００２】
本件考案者は、先に、使用者の顔面の少なくとも一部を覆うためのマスク本体と、このマスク本体の両側に位置する耳掛け部とを備えたマスクであって、前記耳掛け部は、装着者の右の耳に装着される第１の環状体と、前記装着者の左の耳に装着される第２の環状体とを有し、前記マスク本体は、帯状部材の端部を接合したものであり、前記帯状部材の端部の接合前に、前記第１の環状体と前記第２の環状体の輪の中に、前記端部を接合していない前記帯状部材を通して、その後、前記帯状部材の端部を接合して、前記マスク本体を筒状に構成したマスクを提案した(特許文献１参照)。
【先行技術文献】
【特許文献】
【０００３】
【特許文献１】実願２０２０−１４９０
【考案の概要】
【考案が解決しようとする課題】
【０００４】
ところが、上記のマスクにあっては、息苦しいとき、装着したマスクを一々外さねばならず、使用勝手が良好でないという問題点が生じた。
【０００５】
本考案は、上記の問題点を考慮してなされたマスクを提供することにある。
【課題を解決するための手段】
【０００６】
請求項１記載のマスクは、使用者の顔面の少なくとも一部を覆うためのマスク本体と、このマスク本体の左側に位置する左側耳掛け部と、前記マスク本体の右側に位置する右側耳掛け部とを備えたマスクであって、前記マスク本体に開口部を設け、この開口部を開閉するファスナーを前記マスク本体に取り付けたものである。
【０００７】
また、請求項２記載のマスクは、使用者の顔面の少なくとも一部を覆うためのマスク本体と、このマスク本体の左側に位置する左側耳掛け部と、前記マスク本体の右側に位置する右側耳掛け部とを備えたマスクであって、前記マスク本体の表側に開口部を設け、この開口部を開閉するファスナーを前記マスク本体に取り付け、前記マスク本体の裏面側に鼻、口に当接する当接部材を取り付け、前記マスク本体の裏面側と前記当接部材との間に収納部が設けられ、この収納部に前記開口部を介して保冷剤が収納されているものである。
【０００８】
また、請求項３記載のマスクは、請求項１〜２のいずれかに記載のマスクにおいて、開口部が垂直方向に設けられているものである。
【０００９】
また、請求項４記載のマスクは、請求項１〜２のいずれかに記載のマスクにおいて、開口部が水平方向に設けられているものである。
【００１０】
また、請求項５記載のマスクは、請求項１〜４のいずれかに記載のマスクにおいて、息苦しいとき、開口部をファスナーにより開としたものである。
【００１１】
また、請求項６記載のマスクは、請求項１又は請求項３又は請求項４に記載のマスクにおいて、食事をするとき、開口部をファスナーにより開としたものである。
【考案の効果】
【００１２】
請求項１記載のマスクによれば、マスク本体に開口部を設け、この開口部を開閉するファスナーを前記マスク本体に取り付けたため、息苦しいとき、開口部をファスナーにより開として、マスクを装着したまま息苦しさの改善を図ることができる。
【００１３】
また、請求項２記載のマスクによれば、マスク本体の裏面側と当接部材との間に収納部が設けられ、この収納部に保冷剤が収納されたマスクにあっても、マスク本体に開口部を設け、この開口部を開閉するファスナーを前記マスク本体に取り付けたため、息苦しいとき、開口部をファスナーにより開として、マスクを装着したまま息苦しさの改善を図ることができ、しかも、夏場の暑いとき、マスク装着に暑さに伴う不快感を軽減化することができる。
【００１４】
また、請求項３記載のマスクによれば、上述した請求項１〜２の考案の効果に加え、開口部が垂直方向に設けられているため、マスクを装着したままの開閉操作が容易である。
【００１５】
また、請求項４記載のマスクによれば、上述した請求項１〜２の考案の効果に加え、開口部が水平方向に設けられているため、開口部が垂直方向に設けられているものに比較し、開口部を大きく形成でき、マスクを装着したまま息苦しさの改善をより図ることができる。
【００１６】
また、請求項５記載のマスクによれば、息苦しいとき、開口部をファスナーにより開として、マスクを装着したまま息苦しさの改善を図ることができる。
【００１７】
また、請求項６記載のマスクによれば、上述した請求項１又は請求項３又は請求項４の考案の効果に加え、開口部をファスナーにより開として、マスクを装着したまま、食事をすることができる。
【図面の簡単な説明】
【００１８】
【図１】図１は、本考案の一実施例のマスクを正面側から撮影した写真である。
【図２】図２は、図１のマスクを装着側から撮影した写真である。
【図３】図３は、図１のマスクの開口部を開閉するファスナーにより開状態を撮影した写真である。
【図４】図４は、図３のマスクを装着側から撮影した写真である。
【図５】図５は、図１のマスクと異なる他の実施例のマスクを正面側から撮影した写真である。
【図６】図６は、図５のマスクを装着側から撮影した写真である。
【図７】図７は、図５のマスクの開口部を開閉するファスナーにより開状態を撮影した写真である。
【図８】図８は、図７のマスクを装着側から撮影した写真である。
【図９】図９は、図５のマスクと異なる他の実施例のマスクを正面側から撮影した写真である。
【図１０】図１０は、図９のマスクを装着側から撮影した写真である。
【図１１】図１１は、図９のマスクの開口部を開閉するファスナーにより開状態を撮影した写真である。
【図１２】図１２は、図１１のマスクの開口部を更に広げた状態を撮影した写真である。
【図１３】図１３は、図１２のマスクの開口部からマスク本体の裏面側と当接部材との間の収納部に保冷剤を一部入れた状態を撮影した写真である。
【図１４】図１４は、図１３の保冷剤を更に入れた状態を撮影した写真である。
【図１５】図１５は、図１４のマスクの開口部からマスク本体の裏面側と当接部材との間の収納部に保冷剤を一部入れた状態を撮影した写真である。
【図１６】図１６は、図１５のマスクの開口部からマスク本体の裏面側と当接部材との間の収納部の左右に保冷剤を１個ずつ入れた状態を撮影した写真である。
【図１７】図１７は、図１６の開口部をファスナーにより閉じた状態をマスクの装着側から撮影した写真である。
【考案を実施するための形態】
【００１９】
本考案の一実施例のマスクを図１乃至図１７を参照して説明する。
【００２０】
（実施例１）
図１に示すＭはマスクで、マスクＭは、使用者の顔面の少なくとも一部を覆うためのマスク本体１と、このマスク本体１の左側に位置する左側耳掛け部２と、マスク本体１の右側に位置する右側耳掛け部３とを備えている。
【００２１】
図３に示す４は、マスク本体１に設けた開口部で、この開口部４は、マスク本体１に取り付けたファスナー５により開閉するようになっている。
このファスナー５は、開口部４を開閉するものであり、ファスナー５の略全長に亘って形成されたエレメント５ａと、このエレメント５ａを噛合・分離させるスライダー５ｂとを有する。なお、図３においては、スライダー５ｂを２個設けているが、スライダー５ｂは、１個でも良い。
【００２２】
図１乃至図４記載のマスクＭによれば、マスク本体１に開口部４を設け、この開口部４を開閉するファスナー５をマスク本体１に取り付けたため、息苦しいとき、開口部４をファスナー５により開として、マスクＭを装着したまま息苦しさの改善を図ることができる。
なお、開口部４が垂直方向に設けられているため、つまり、装着時の鼻筋方向に沿うように設けられているため、マスクＭを装着したままの開閉操作が容易である。
また、開口部４をファスナー５により開として、マスクＭを装着したまま、食事をすることができる。
【００２３】
（実施例２）
上述した図１乃至図４記載のマスクＭの開口部４は、垂直方向に設けたが、水平方向に設けても良い（図５乃至図８参照）。
マスクＭの開口部４が水平方向に設けられているため、つまり、装着時の上唇と下唇の境に沿うように設けられているため、マスクＭを装着したままの開閉操作が容易であり、また、息苦しいとき、開口部４をファスナー５により開として、マスクＭを装着したまま息苦しさの改善を図ることができ、また、開口部４をファスナー５により開として、マスクＭを装着したまま、食事をすることができる。
なお、本実施例の図５乃至図８記載のマスクＭにおいては、上述した図１乃至図４記載のマスクＭと同一部分に同一符号を付してその説明の一部を省略する。
【００２４】
（実施例３）
次に、図９乃至図１７を参照して、マスクＭを説明する。
即ち、マスクＭは、使用者の顔面の少なくとも一部を覆うためのマスク本体１と、このマスク本体１の左側に位置する左側耳掛け部２と、マスク本体１の右側に位置する右側耳掛け部３とを備えたマスクＭであって、マスク本体１の表側に開口部４を設け、この開口部４を開閉するファスナー５をマスク本体１に取り付け、マスク本体１の裏面側に鼻、口に当接する当接部材６を取り付け、マスク本体１の裏面側と当接部材６との間に収納部７が設けられ、この収納部７に開口部４を介して保冷剤８、８’が収納されているものである。
収納部７に開口部４を介して保冷剤８、８’を収納するには、図１２に示すように、開口部４を広げ、保冷剤８を図１３、図１４に示す収納部７の左側の部位に入れ、その後、図１５に示す収納部７の右側の部位に入れて完了する（図１６）。完了後、ファスナー５で開口部４を閉じる。この閉じた状態をマスクＭの装着側から撮影した状態は、図１７に示される。
【００２５】
図９乃至図１７のマスクＭによれば、マスク本体１の裏面側と当接部材６との間に収納部７が設けられ、この収納部７に保冷剤８、８’が収納されたマスクにあっても、マスク本体１に開口部４を設け、この開口部４を開閉するファスナー５をマスク本体１に取り付けたため、息苦しいとき、開口部４をファスナー５により開として、マスクＭを装着したまま息苦しさの改善を図ることができ、しかも、夏場の暑いとき、マスクＭ装着に暑さに伴う不快感を軽減化することができる。
【符号の説明】
【００２６】
Ｍ      マスク
１      マスク本体
２      左側耳掛け部
３      右側耳掛け部
４      開口部
５      ファスナー
【図１】
0003228247.tif 000003
【図２】
0003228247.tif 000004
【図３】
0003228247.tif 000005
【図４】
0003228247.tif 000006
【図５】
0003228247.tif 000007
【図６】
0003228247.tif 000008
【図７】
0003228247.tif 000009
【図８】
0003228247.tif 000010
【図９】
0003228247.tif 000011
【図１０】
0003228247.tif 000012
【図１１】
0003228247.tif 000013
【図１２】
0003228247.tif 000014
【図１３】
0003228247.tif 000015
【図１４】
0003228247.tif 000016
【図１５】
0003228247.tif 000017
【図１６】
0003228247.tif 000018
【図１７】
0003228247.tif 000019